(57)【要約】【課題】スタータにおいて、モータへのパイプ１０の接続作業の作業効率を上げること、および、ケース９に接続したパイプ１０が回転するのを阻止することを目的とする。【解決手段】パイプ１０は、外周面から外側に突出する突起１８を有し、突起１８がリアケース１６の後端面１９に係合した状態でモータに接続している。これにより、ケース９にパイプ１０を繋ぐ際に、突起１８を後端面１９に係合させることで容易にパイプ１０の位置決めを行うことができる。このため、パイプ１０を繋いだ後の修正が不要になるので、モータ２へのパイプ１０の接続作業の作業効率を上げることができる。また、突起１８は、後端面１９に係合することで回り止めとして機能することができる。このため、ケース９に接続したパイプ１０が回転するのを阻止することもできる。【選択図】図２
2008101527.tif 000002
【特許請求の範囲】
【請求項１】
エンジンを始動するための出力を発生するモータと、
このモータのケースに接続し、前記モータの内部を外部と連通させるパイプとを備えたスタータにおいて、
前記パイプは、
外周面から外側に突出する突起を有し、
この突起が前記モータの所定の部位に係合した状態で前記モータに接続していることを特徴とするスタータ。
【請求項２】
請求項１に記載のスタータにおいて、
前記ケースは、整流子およびブラシを覆うリアケースを含んで構成され、
前記パイプは、前記リアケースに接続することを特徴とするスタータ。
【請求項３】
請求項２に記載のスタータにおいて、
前記パイプは、前記突起が前記リアケースの後端面に係合した状態で前記モータに接続していることを特徴とするスタータ。
【請求項４】
請求項１に記載のスタータにおいて、
前記パイプは、ゴムを素材として成形されていることを特徴とするスタータ。
【発明の詳細な説明】
【技術分野】
【０００１】
本発明は、エンジンを始動するスタータに関する。
【背景技術】
【０００２】
従来より、スタータ１００のモータ１０１では、図４に示すように、モータ１０１の内部を換気したり、モータ１０１の内部に浸入した水を排水したりするために、ケース１０２にパイプ１０３が接続されている（例えば、特許文献１参照）。
【０００３】
ところで、スタータ１００が搭載されるエンジンルーム内には、他にも機器が搭載されているので、パイプ１０３は、他の機器と干渉しないように配置する必要がある。そこで、一旦、ケース１０２に繋いだパイプ１０３を回転して他の機器と干渉しない方向に向きを変える等の修正が必要となる。しかし、パイプ１０３の接続作業は手作業であり、このような修正を行うことにより作業効率が大幅に低下する。
さらに、ケース１０２に接続したパイプ１０３が回転により折れ曲がり、排気、排水の機能を充分に果たせなくなる虞もある。
【特許文献１】実用新案登録第２５２２８７６号公報
【発明の開示】
【発明が解決しようとする課題】
【０００４】
本発明は、上記の問題点を解決するためになされたものであり、スタータにおいて、モータへのパイプ接続作業の作業効率を上げること、および、ケースに接続したパイプが回転するのを阻止することを目的とする。
【課題を解決するための手段】
【０００５】
〔請求項１の手段〕
請求項１に記載のスタータは、エンジンを始動するための出力を発生するモータと、モータのケースに接続し、モータの内部を外部と連通させるパイプとを備える。そして、パイプは、外周面から外側に突出する突起を有し、突起がモータの所定の部位に係合した状態でモータに接続している。
【０００６】
これにより、ケースにパイプを繋ぐ際に、突起を所定部位に係合させることで容易にパイプの位置決めを行うことができる。このため、パイプを繋いだ後の修正が不要になるので、モータへのパイプ接続作業の作業効率を上げることができる。また、突起は、所定部位に係合することで回り止めとして機能することができる。このため、ケースに接続したパイプが回転するのを阻止することもできる。
【０００７】
〔請求項２の手段〕
請求項２に記載のスタータによれば、ケースは、整流子およびブラシを覆うリアケースを含んで構成され、パイプは、リアケースに接続する。
整流子およびブラシは、出力発生に係わる重要な部品であり、整流子とブラシとの接触状態は、モータの出力性能に極めて大きな影響を及ぼす。そこで、リアケースにパイプを接続してリアケース内の排気、排水を促進することで、整流子とブラシとの摺接による磨耗粉の堆積や、整流子やブラシの水分による錆付きを防止して、モータの出力性能の変動を効率的に抑えることができる。
【０００８】
〔請求項３の手段〕
請求項３に記載のスタータによれば、パイプは、突起がリアケースの後端面に係合した状態でモータに接続している。
これにより、パイプの接続部と突起とを近接させることができるので、パイプの位置決めをさらに容易に行うことができる。
【０００９】
〔請求項４の手段〕
請求項４に記載のスタータによれば、パイプは、ゴムを素材として成形されている。
ゴムを素材に使用することで、パイプの成形性が向上する。
【発明を実施するための最良の形態】
【００１０】
最良の形態１のスタータは、エンジンを始動するための出力を発生するモータと、モータのケースに接続し、モータの内部を外部と連通させるパイプとを備える。そして、パイプは、外周面から外側に突出する突起を有し、突起がモータの所定の部位に係合した状態でモータに接続している。
また、ケースは、整流子およびブラシを覆うリアケースを含んで構成され、パイプは、リアケースに接続する。そして、パイプは、突起がリアケースの後端面に係合した状態でモータに接続している。
また、パイプは、ゴムを素材として成形されている。
【実施例１】
【００１１】
〔実施例１の構成〕
実施例１のスタータ１の構成を、図１および図２を用いて説明する。
スタータ１は、モータ２および電磁スイッチ３等を備え、モータ２から得られる出力によりエンジン（図示せず）を始動するものである。ここで、モータ２は、整流子４とブラシ５との摺接により電機子コイル６に通電を行い、電機子コイル６と界磁極７との相互作用により回転軸８を回転させて出力を発生する周知の構造を有する。
【００１２】
また、スタータ１は、モータ２のケース９に接続し、モータ２の内部を外部と連通させるゴム製のパイプ１０を備える。ここで、ケース９は、界磁極７を有し電機子コイル６を外周側から覆うように配されるヨーク１４、ヨーク１４の前方に配されるフロントケース１５、およびヨーク１４の後方に配されるリアケース１６等から構成される。
【００１３】
そして、パイプ１０は、リアケース１６に接続してモータ２の後方で開口し、主にリアケース１６の内部の排気、排水を促進する。なお、リアケース１６は、整流子４およびブラシ５を収容し、整流子４とブラシ５とが接触する空間を形成する。また、パイプ１０は、外周面から外側に突出する突起１８を有し、突起１８がリアケース１６の後端面１９に係合した状態でモータ２に接続している。
【００１４】
〔実施例１の効果〕
実施例１のスタータ１によれば、パイプ１０は、外周面から外側に突出する突起１８を有し、突起１８がリアケース１６の後端面１９に係合した状態でモータ２に接続している。
これにより、ケース９にパイプ１０を繋ぐ際に、突起１８を後端面１９に係合させることで容易にパイプ１０の位置決めを行うことができる。このため、パイプ１０を繋いだ後の修正が不要になるので、モータ２へのパイプ１０の接続作業の作業効率を上げることができる。また、突起１８は、後端面１９に係合することで回り止めとして機能することができる。このため、ケース９に接続したパイプ１０が回転するのを阻止することもできる。
【００１５】
また、突起１８が係合する部位をリアケース１６の後端面１９とすることにより、パイプ１０の接続部と突起１８とを近接させることができるので、パイプ１０の位置決めをさらに容易に行うことができる。
また、パイプ１０をリアケース１６に接続してリアケース１６内の排気、排水を促進することで、整流子４とブラシ５との摺接による磨耗粉の堆積や、整流子４やブラシ５の水分による錆付きを防止して、モータ２の出力性能の変動を効率的に抑えることができる。
さらに、パイプ１０の素材としてゴムを使用することで、パイプ１０の成形性を向上することができる。
【実施例２】
【００１６】
実施例２のスタータ１によれば、図３に示すように、パイプ１０がリアケース１６の前方で開口している。そして、突起１８は、パイプ１０がリアケース１６の前方で開口した状態でも、リアケース１６の後端面１９に係合できるような形状に設けられている。
【００１７】
〔変形例〕
実施例１、２のスタータ１によれば、パイプ１０はリアケース１６に接続していたが、ヨーク１４やフロントケース１５に接続させてもよい。
また、実施例１、２のスタータ１によれば、パイプ１０はゴムを素材として成形されたゴム製であったが、樹脂、金属等を素材として成形することもできる。
また、実施例１、２のスタータ１によれば、突起１８はリアケース１６の後端面１９に係合していたが、例えば、ヨーク１４やフロントケース１５に別途の突出部を設けて、この突出部に突起１８を係合させてもよい。
【図面の簡単な説明】
【００１８】
【図１】スタータの構成図である（実施例１）。
【図２】パイプのリアケースへの接続を示す説明図である（実施例１）。
【図３】パイプのリアケースへの接続を示す説明図である（実施例２）。
【図４】パイプのケースへの接続を示す説明図である（従来例）。
【符号の説明】
【００１９】
１  スタータ
２  モータ
４  整流子
５  ブラシ
９  ケース
１０  パイプ
１６  リアケース
１８  突起
【図１】
2008101527.tif 000003
【図２】
2008101527.tif 000004
【図３】
2008101527.tif 000005
【図４】
2008101527.tif 000006